(57)【特許請求の範囲】
【請求項１】
時間的に連続する動画像を所定の単位毎に分割する分割手段と、
前記分割手段が分割した前記動画像を圧縮し、その結果得られる異なる複数のファイルを記録媒体に記録する記録手段と、
前記複数のファイルのそれぞれのヘッダに、対応する分割された動画像の時間的連続性を示す連続情報を保存する連続性情報保存手段と
を備えることを特徴とする動画像記録装置。
【請求項２】
前記分割手段は、所定の時間毎または所定のデータ量毎に前記動画像を分割する
ことを特徴とする請求項１に記載の動画像記録装置。
【請求項３】
前記分割手段は、前記動画像を所定数のGOP毎に分割し、
前記記録手段は、前記動画像をMPEG方式で圧縮する
ことを特徴とする請求項１に記載の動画像記録装置。
【請求項４】
前記連続情報に基づき、複数の前記ファイルから前記動画像を連続的に再生する再生手段と、
再生手段が再生した一連の動画像のうち、ユーザの操作に基づいて任意の期間を指定する指定手段と、
前記指定手段が指定した前記任意の期間に対応する前記ファイルの消去対象部分を消去する消去手段とをさらに備え、
前記連続性情報保存手段は、前記消去手段により消去対象部分が消去されたファイルのうち、非消去部が残っているファイルのヘッダの前記連続性情報を更新する
ことを特徴とする請求項１に記載の動画像記録装置。
【請求項５】
前記連続情報は、各ファイルに対し、前のファイルを特定する情報、または次のファイルを特定する情報の少なくとも一方を含む
ことを特徴とする請求項１または４に記載の動画像記録装置。
【請求項６】
時間的に連続する動画像を撮影する撮影手段と、
撮影された前記動画像を所定の単位毎に分割する分割手段と、
前記分割手段が分割した前記動画像を圧縮し、その結果得られる異なる複数のファイルを記録媒体に記録する記録手段と、
前記複数のファイルのそれぞれのヘッダに、対応する分割された動画像の時間的連続性を示す連続情報を保存する連続性情報保存手段と
を備えることを特徴とするカメラ。
【請求項７】
前記分割手段は、所定の時間毎または所定のデータ量毎に前記動画像を分割する
ことを特徴とする請求項６に記載のカメラ。
【請求項８】
前記分割手段は、前記動画像を所定数のGOP毎に分割し、
前記記録手段は、前記動画像をMPEG方式で圧縮する
ことを特徴とする請求項６に記載のカメラ。
【請求項９】
前記連続情報に基づき、複数の前記ファイルから前記動画像を連続的に再生する再生手段と、
再生手段が再生した一連の動画像のうち、ユーザの操作に基づいて任意の期間を指定する指定手段と、
前記指定手段が指定した前記任意の期間に対応する前記ファイルの消去対象部分を消去する消去手段とをさらに備え、
前記連続性情報保存手段は、前記消去手段により消去対象部分が消去された前記ファイルのうち、非消去部が残っているファイルのヘッダの前記連続性情報を更新する
ことを特徴とする請求項６に記載のカメラ。
【請求項１０】
前記連続情報は、各ファイルに対し、前のファイルを特定する情報、または次のファイルを特定する情報の少なくとも一方を含む
ことを特徴とする請求項６または９に記載のカメラ。
【発明の詳細な説明】
【０００１】
【発明の属する技術分野】
本発明は、動画像記録装置、およびカメラに関し、特に、動画像をランダムアクセス可能な記録媒体に記録するようにした動画像記録装置、およびカメラに関する。
【０００２】
【従来の技術】
現在、動画像を撮影して記録するビデオカメラが広く普及している。このビデオカメラには、撮影した映像データの記録媒体として８mmビデオカセット等の磁気テープが採用されている。
【０００３】
【発明が解決しようとする課題】
ところで、８mmビデオカセットは、シーケンシャルアクセスメディア（ランダムアクセスが不可能な記録媒体）であるので、次のような不都合がある。例えば、連続して再生したいシーンの間に不要な（再生したくない）シーンが録画されている８mmビデオカセットを再生する場合、ユーザは、再生時に早送り等の操作を実行するか、または予め再生したいシーンだけを他の８mmビデオカセットにコピーする必要がある課題があった。
【０００４】
また、動画像を圧縮して動画像ファイルとして記録した場合、記録した動画像に消去等の編集を行うためには、圧縮された動画像を伸張してから編集する必要がある。したがって、大容量の動画像ファイルを編集するには、伸張した動画像ファイルを記憶する大容量メモリが必要となる。
【０００５】
本発明は、このような状況に鑑みてなされたものであり、大容量メモリを必要とせずに、動画像を編集できるようにするものである。
【０００６】
【課題を解決するための手段】
本発明の動画像記録装置は、時間的に連続する動画像を所定の単位毎に分割する分割手段と、分割手段が分割した動画像を圧縮し、その結果得られる異なる複数のファイルを記録媒体に記録する記録手段と、複数のファイルのそれぞれのヘッダに、対応する分割された動画像の時間的連続性を示す連続情報を保存する連続性情報保存手段とを備えることを特徴とする。
本発明のカメラは、時間的に連続する動画像を撮影する撮影手段と、撮影された動画像を所定の単位毎に分割する分割手段と、分割手段が分割した動画像を圧縮し、その結果得られる異なる複数のファイルを記録媒体に記録する記録手段と、複数のファイルのそれぞれのヘッダに、対応する分割された動画像の時間的連続性を示す連続情報を保存する連続性情報保存手段とを備えることを特徴とする。
【０００７】
本発明の動画像記録装置においては、時間的に連続する動画像が所定の単位毎に分割され、分割された動画像が圧縮され、その結果得られる異なる複数のファイルが記録媒体に記録され、複数のファイルのそれぞれのヘッダに、対応する分割された動画像の時間的連続性を示す連続情報が保存される。
本発明のカメラにおいては、時間的に連続する動画像が撮影され、撮影された動画像が所定の単位毎に分割され、分割された動画像が圧縮され、その結果得られる異なる複数のファイルが記録媒体に記録され、複数のファイルのそれぞれのヘッダに、対応する分割された動画像の時間的連続性を示す連続情報が保存される。
【０００８】
【発明の実施の形態】
以下に本発明の実施の形態を説明するが、特許請求の範囲に記載の発明の各手段と以下の実施の形態との対応関係を明らかにするために、各手段の後の括弧内に、対応する実施の形態（但し一例）を付加して本発明の特徴を記述すると、次のようになる。
【０００９】
すなわち、本発明の動画像記録装置は、時間的に連続する動画像を所定の単位毎に分割する分割手段（例えば、図６のステップＳ１７）と、分割手段が分割した動画像を圧縮し、その結果得られる異なる複数のファイルを記録媒体に記録する記録手段（例えば、図６のステップＳ１８）と、複数のファイルのそれぞれのヘッダに、対応する分割された動画像の時間的連続性を示す連続情報を保存する連続性情報保存手段（例えば、図６のステップＳ１９）とを備える。
【００１０】
本発明の動画像記録装置は、連続情報に基づき、複数のファイルから動画像を連続的に再生する再生手段（例えば、図１８のステップＳ８１）と、再生手段が再生した一連の動画像のうち、ユーザの操作に基づいて任意の期間を指定する指定手段（例えば、図１８のステップＳ８３乃至Ｓ８８）と、指定手段が指定した任意の期間に対応して、ファイルを部分的に消去する消去手段（例えば、図１８のステップＳ９２，Ｓ９３、および図２１のＳ１０１乃至１１１）とをさらに備える。
【００１１】
本発明のカメラは、時間的に連続する動画像を撮影する撮影手段（例えば、図３のカメラ部２）と、撮影された動画像を所定の単位毎に分割する分割手段（例えば、図６のステップＳ１７）と、分割手段が分割した動画像を圧縮し、その結果得られる異なる複数のファイルを記録媒体に記録する記録手段（例えば、図６のステップＳ１８）と、複数のファイルのそれぞれのヘッダに、対応する分割された動画像の時間的連続性を示す連続情報を保存する連続性情報保存手段（例えば、図６のステップＳ１９）とを備えることを特徴とするカメラ。
本発明のカメラは、連続情報に基づき、複数のファイルから動画像を連続的に再生する再生手段（例えば、図１８のステップＳ８１）と、再生手段が再生した一連の動画像のうち、ユーザの操作に基づいて任意の期間を指定する指定手段（例えば、図１８のステップＳ８３乃至Ｓ８８）と、指定手段が指定した任意の期間に対応して、ファイルを部分的に消去する消去手段（例えば、図１８のステップＳ９２，Ｓ９３、および図２１のＳ１０１乃至１１１）とをさらに備える。
【００１２】
但し勿論この記載は、各手段を記載したものに限定することを意味するものではない。
【００１３】
図１および図２は、本発明を適用したビデオカメラの外観の構成を示す斜視図である。このビデオカメラは、本体部１とカメラ部２から構成される。このビデオカメラにおいては、被写体を撮影する場合において、被写体に向けられる面が面Ｘ１とされ、ユーザ側に向けられる面が面Ｘ２とされている。カメラ部２の面Ｘ１には、被写体の光画像を取り込む撮像レンズ３、および音声を集音するマイクロフォン４が設けられている。なお、カメラ部２は、本体部１に対して回動自在に接続されている。したがって、ユーザは液晶ディスプレイ５（以下、LCD５と記述する）に表示される画像を観察しながら任意の方向に撮影レンズ３を向けることができる。
【００１４】
一方、本体部１の面Ｘ２には、撮像レンズ３から入力された映像、または光磁気ディスク１０に記憶された映像を表示するLCD５、記録されている音声を出力するスピーカ６、ズームの方向を切り換える際に操作されるズームボタン７、および所定の処理の開始または停止を指示する際に操作されるスタート・ストップボタン８が設けられている。
【００１５】
LCD５の表面上には、接触操作により、指示された位置に対応する位置データを出力するタッチタブレット９が配置されている。
【００１６】
このタッチタブレット９は、ガラス、樹脂等の透明な材料によって構成されており、ユーザは、タッチタブレット９の内側に形成されているLCD５に表示される画像を、タッチタブレット９を介して観察することができる。
【００１７】
このビデオカメラの側面Ｙには、撮影した映像データを記録するランダムアクセス可能な記録媒体である光磁気ディスク１０が挿入されるディスクスロット１１が設けられている。さらに、このビデオカメラの上面Ｚには、主電源のオン、または所定の処理のリセットを指示する際に操作されるパワー・リセットボタン１２が設けられている。
【００１８】
図３は、図１のビデオカメラの内部の電気的な構成例を示すブロック図である。レンズ駆動部２０は、制御部３４に制御され、撮像レンズ３を駆動して、フォーカスまたはズームなどの補正を行うようになされている。撮像素子２１は、撮像レンズ３を介して結像される被写体の光画像を、画像信号（電気信号）に光電変換し、A/D変換部２２に出力する。A/D変換部２２は、撮像素子２１から供給される画像信号を、アナログ信号からデジタル信号に変換するようになされている。信号処理部２３は、撮像素子２１の露出制御（例えば、アパーチャまたはオートゲインコントロール）を行うとともに、A/D変換部２２より供給される画像信号に対して、ホワイトバランス補正、およびガンマ補正等の処理を実行し、フレームメモリ２４に出力するようになされている。
【００１９】
フレームメモリ２４は、信号処理部２３またはデータ圧縮伸長部２５より供給される画像信号を所定数のフレーム毎に格納する。データ圧縮伸長部２５は、フレームメモリ２４から読み出した画像信号をMPEG(Moving Picture Experts Group)方式を用いて圧縮し、これをバッファメモリ２６に出力するとともに、バッファメモリ２６から読み出した画像信号を伸長し、フレームメモリ２４に出力するようになされている。
【００２０】
データアクセス部２７は、記録再生用ヘッドを供え、装着された光磁気ディスク１０を駆動して、バッファメモリ２６から読み出した画像信号または音声信号を光磁気ディスク１０に記録するとともに、光磁気ディスク１０に記録されている画像信号または音声信号を読み出し、バッファメモリ２６に出力するようになされている。装着判定部２８は、光磁気ディスク１０が装着されているか否かを判定し、判定結果を制御部３４に出力する。
【００２１】
音声入出力部２９は、マイクロフォン４より入力される音声をA/D変換部３１に出力するとともに、D/A変換部３０より供給される音声信号をスピーカ６に出力する。D/A変換部３０は、音声信号処理部３２から供給される音声信号をデジタル信号からアナログ信号に変換し、音声入出力部２９に出力する。A/D変換部３１は、音声入出力部２９より供給される音声信号を、アナログ信号からデジタル信号に変換し、音声信号処理部３２に出力するようになされている。音声信号処理部３２は、A/D変換部３１から供給される音声信号を圧縮してバッファメモリ２６に出力するとともに、バッファメモリ２６から読み出した音声信号を伸長して、D/A変換部３０に出力するようになされている。
【００２２】
表示画像作成部３３は、フレームメモリ２４より読み出した画像信号に対応する画像を作成し、それをLCD５にモニタ表示する。タッチタブレット入力部３５は、タッチタブレット９からの操作信号（位置信号）を制御部３４に出力するようになされている。操作部材入力部３６は、ズームボタン７、スタート・ストップボタン８、またはパワー・リセットボタン１２等の操作部材からの操作信号を受け付け、制御部３４に出力するようになされている。制御部３４は、記憶部３７に記憶されているコンピュータプログラムに基づいてビデオカメラ全体を制御するようになされている。また、制御部３４は、図示せぬタイマを内蔵しており、常に計時動作を行っている。記憶部３７は、例えば、ROM、RAM、またはEEPROM等により構成され（いずれも図示せず）、この記憶部３７には、制御部３４が各種の処理を実行する上において必要なデータやプログラム等が適宜記録される。バッテリ３８は、ビデオカメラの各部に電力を供給するようになされている。
【００２３】
なお、データ圧縮伸長部２５、表示画像作成部３３、タッチパネル入力部３５、および制御部３４は、マイクロプロセッサ４０の内部機能により実現される。
【００２４】
次に、このビデオカメラの起動処理について、図４のフローチャートを参照して説明する。ステップＳ１において、制御部３４は、操作部材入力部３６から入力される信号に基づいてパワー・リセットボタン１２が押されたか否かを判定し、パワー・リセットボタン１２が押されていないと判定された場合、パワー・リセットボタン１２が押されたと判定されるまで待機する。つまり、このビデオカメラにおいては、ユーザによるパワー・リセットボタン１２への操作を検知するために、待機電源が常にオンとされている。パワー・リセットボタン１２が押されたと判定された場合、ステップＳ２に進む。
【００２５】
ステップＳ２において、制御部３４は、ビデオカメラ全体の駆動電源をオンとする。
【００２６】
ステップＳ３において、制御部３４は、記憶部３７のROM等に記憶されている所定のコンピュータプログラムを読み出して実行することにより、ビデオカメラの初期化を行う。
【００２７】
ステップＳ４において、表示画像作成部３３は、制御部３４の制御により、初期画面の画像情報を作成し、LCD５に出力する。LCD５は、入力された画像情報に基づいて初期画面を表示する。また、制御部３４は、無操作時間を計測するために内蔵するタイマをスタートさせる。
【００２８】
LCD５に表示される初期画像の表示例を図５に示す。初期画面の中央には、光磁気ディスク１０に記録されている複数（この例の場合、８個）の映像（一連のシーン）の先頭の画像を縮小したサムネイルＡ１乃至Ａ８が撮影された順に表示される。画面右側には、録画処理を指示する際に操作（タッチ）される録画ボタンＢと、消去編集処理を指示する際に操作される消去編集ボタンＣが表示される。また、画面左下側には、ビデオカメラ全体の駆動電源をオフとする際に操作（タッチ）されるOFFボタンＤが表示される。
【００２９】
図４に戻る。ステップＳ５において、制御部３４は、ユーザから任意の処理が指示されたか否かを判定し、任意の処理が指示されたと判定された場合、ステップＳ６に進む。
【００３０】
このとき、ユーザによりLCD５に表示されたサムネイルＡがダブルタッチされた場合、スタート・ストップボタン８が押された場合、またはサムネイルＡがタッチされた後にスタート・ストップボタン８が押された場合のいずれかの場合は、再生処理が指示されたと判定される。また、LCD５に表示された録画ボタンＢがタッチされた場合は、録画処理が指示されたと判定される。さらに、LCD５に表示された消去編集ボタンＣがタッチされた場合は、消去編集処理が指示されたと判定される。
【００３１】
ステップＳ６において、ステップＳ５で指定された再生処理、録画処理、または消去編集処理のいずれかの処理が実行される。
【００３２】
図６は、録画処理を説明するフローチャートである。ステップＳ１１において、ビデオカメラは、録画スタンバイ状態に設定される。すなわち、撮影レンズ３は、被写体の光画像を撮像素子２１に結像する。撮像素子２１は、被写体の光画像を画像信号（電気信号）に光電変換し、A/D変換部２２に出力する。A/D変換部２２は、撮像素子２１から供給される画像信号を、アナログ信号からデジタル信号に変換する。信号処理部２３は、供給される画像信号に対してホワイトバランス補正等の処理を実行し、フレームメモリ２４に出力する。フレームメモリ２４は、信号処理部２３より供給される画像信号を所定数のフレーム毎に格納する。表示画像作成部３３は、フレームメモリ２４より読み出した画像信号に対応する画像を作成し、それをLCD５にモニタ表示する。
【００３３】
ステップＳ１２において、録画可能時間表示処理が実行され、図７に示すようにLCD５の右側に録画可能時間を表示する。なお、この録画可能時間表示処理の詳細については後述する。
【００３４】
ステップＳ１３において、制御部３４は、現在、録画中であるか否かを判定する。録画中ではないと判定された場合、ステップＳ１４に進む。
【００３５】
ステップＳ１４において、制御部３４は、スタート・ストップボタン８が押されたか否かを判定する。スタート・ストップボタン８が押されたと判定された場合、ステップＳ１５に進む。
【００３６】
ステップＳ１５において、データ圧縮伸長部２５は、フレームメモリ２４から画像信号を読み出してMPEG方式を用いて圧縮し、新しいファイルとしてバッファメモリ２６に出力する。このとき、制御部３４は、内蔵するタイマをリセットする。
【００３７】
ここで、圧縮された画像情報が格納されるファイルについて、図８と図９を参照して説明する。このビデオカメラにおいて、時間的に継続したシーンを撮影した画像情報は、所定の録画時間毎、例えば、１分間毎のファイルに分割されて記録される。したがって、２分３０秒間のシーン１を撮影した場合、その画像情報は、図８(A)に示すように、１分間の画像情報が格納されるファイルFL１，FL２、および３０秒間の画像情報が格納されるファイルFL３の３つのファイルFL１乃至３に分割されて格納される。
【００３８】
ファイルは、図９に示すように、再生するときの順番を示す情報（「前のファイル」、および「次のファイル」）等からなるヘッダ部とデータ部から構成されている。例えば、図８(A)の例では、ファイルFL２の「前のファイル」にはFL１、「次のファイル」にはFL３、それぞれが所定のタイミングで記録される。このことにより、ファイルFL１乃至３が光磁気ディスク１０に離散して記録されても連続して再生することが可能となる。「総フレーム数」には、ファイルを構成するフレームの数が記録される。
【００３９】
ヘッダ部の「タイトル」、「撮影者」、および「再生ポイント１，２」には、任意の情報を所定の方法（例えば、ファイルをパーソナルコンピュータに読み込む）で入力することができる。データ部のサムネイル画像は、一連のシーンの先頭の静止画像（この例の場合、ファイルFL１の先頭の画像）が縮小された画像の情報である。したがって、ファイルFL２，FL３のデータ部には、サムネイル画像は存在しない。本体画像および音声は、MPEG方式で圧縮された情報そのものである。SOF(Start of File)、EOF(End of File)は、それぞれファイルの開始、終了を示す情報である。
【００４０】
図６に戻る。ステップＳ１６において、制御部３４は、スタート・ストップボタン８が押されたか否かを判定する。スタート・ストップボタン８が押されていないと判定された場合、ステップＳ１７に進む。
【００４１】
ステップＳ１７において、制御部３４はタイマが１分を経過したか否かを判定する。タイマが１分を経過したと判定された場合、ステップＳ１８に進む。
【００４２】
ステップＳ１８において、データ圧縮伸長部２５は、現在録画中（情報書き込み中）のファイル（旧ファイル）にEOFを記録し、新たなファイル（新ファイル）を作成する。
【００４３】
ステップＳ１９において、旧ファイルのヘッダ部の「次のファイル」に新ファイルを記入し、新ファイルのヘッダ部の「前のファイル」に旧ファイルを記入する。
【００４４】
ステップＳ２０において、制御部３４は、タイマをリセットして、再度、計測を開始する。
【００４５】
ステップＳ１７において、タイマが１分を経過していないと判定された場合、ステップＳ２１に進む。
【００４６】
ステップＳ２１において、制御部３４は、録画した画像の情報量を計測し、その量が所定の量以上であるか否かを判定する。所定の量以上であると判定された場合、ステップＳ１２に戻り、所定の量以下であると判定された場合、ステップＳ１６に戻る。
【００４７】
ステップＳ１６において、スタート・ストップボタン８が押されたと判定された場合、ステップＳ２２に進む。
【００４８】
ステップＳ２２において、データ圧縮伸長部２５は、画像情報の圧縮を停止する。ビデオカメラは、ステップＳ１１と同様に、録画スタンバイ状態に設定される。
【００４９】
ステップＳ２３において、現在情報を格納中のファイル（現ファイル）にEOFを記録する。
【００５０】
ステップＳ２４において、現ファイルのヘッダ部の「次のファイル」に終了を記録する。
【００５１】
ステップＳ２５において、一連のシーンの先頭のファイルに記録されている情報からサムネイル画像を生成して、先頭のファイルに記録する。
【００５２】
ステップＳ２６において、制御部３４は、パワー・リセットボタン１２が押されたか否かを判定する。パワー・リセットボタン１２が押されたと判定された場合、ステップＳ２７に進む。
【００５３】
ステップＳ２７において、録画スタンバイ状態が解除され、LCD５に初期画面（図８(A)）が表示される。
【００５４】
ステップＳ２６において、パワー・リセットボタン１２が押されていないと判定された場合、ステップＳ１２に戻る。
【００５５】
ステップＳ１３において、現在録画中であると判定された場合、ステップＳ１４，Ｓ１５をスキップする。
【００５６】
ステップＳ１４において、スタート・ストップボタン８が押されていないと判定された場合、ステップＳ１２に戻る。
【００５７】
なお、上述した処理においては、録画時間が所定の時間（１分間）経過する毎に新規ファイルに更新するようにしたが、所定の記憶容量（例えば、５メガバイト）が消費される毎にファイルを更新するようにしてもよい。また、GOP(Group Of Picture)が所定数（例えば、１００GOP）になる毎にファイルを更新するようにしてもよい。
【００５８】
録画可能時間表示処理について、図１０のフローチャートを参照して説明する。ステップＳ３１において、制御部３４は、データアクセス部２７を制御して光磁気ディスク１０の残容量を演算し、変数として記憶部３７に記憶させる。残容量は、情報が記入されていない未入力容量と、消去ディレクトリ（後述）に属するファイルの容量を合計し、ファイルのコピー等に使用される所定の作業容量を減算して求められる。
【００５９】
ステップＳ３２において、制御部３４は、残容量時間関数ｆを記憶部３７に記憶させる。なお、残容量時間関数は、残容量が変数である関数ｆ１、実際に使用された記憶容量の実績が変数である関数ｆ２、被写体の特徴が変数である関数ｆ３、撮影レンズ３の状態（焦点距離値、合焦距離値、および絞り値）が変数である関数ｆ４、ユーザの使用特性が変数である関数ｆ５、および残容量の離散状況が変数である関数ｆ６を、ファジー理論により組み合わせた関数である。
【００６０】
ステップＳ３３において、制御部３４は、記憶部３７から変数である残容量と、残容量時間関数を読み出して、残容量時間を演算する。また、制御部３４は、バッテリ３８の残電気容量を検知して、時間に換算する。
【００６１】
ステップＳ３４において、制御部３４は、LCD５を制御して、図７（録画スタンバイ状態）に示したように、残容量時間と残電気容量時間（バッテリ残時間）を表示する。なお、録画中においてLCD５には、図１１に示すように、バッテリ残時間の下方に「録画中」と表示させる。
【００６２】
ステップＳ３５において、制御部３４は、残容量時間がバッテリ残時間よりも長いか否かを判定する。残容量時間がバッテリ残時間よりも長いと判定された場合、ステップＳ３６に進む。
【００６３】
ステップＳ３６において、制御部３４は、LCD５を制御して、バッテリ残時間を点滅表示させる。このように、先に残時間がなくなるバッテリ残時間を点滅表示して強調することにより、ユーザは、実際に撮影できる残時間を誤って判断することがない。
【００６４】
ステップＳ３５において、残容量時間がバッテリ残時間よりも長くないと判定された場合、ステップＳ３６をスキップする。
【００６５】
なお、ステップＳ３４で光磁気ディスク１０の残容量だけが表示され、ステップＳ３６でバッテリ残時間が表示されるようにしてもよい。また、ステップＳ３６で、例えば、LCD５の表示面積を減少させる等、電力の消費量を減少させる省電力モードに切り換えるようにしてもよい。
【００６６】
図１２は、ビデオカメラの再生処理を説明するフローチャートである。ステップＳ４１において、制御部３４は、図４のステップＳ５で再生処理が指示された方法を判定する。
【００６７】
すなわち、LCD５に表示されたサムネイルＡがダブルタッチされて再生処理が開始されたと判定された場合、ステップＳ４２に進み、ダブルタッチされたサムネイルＡに対応する一連のシーンのみが再生される再生モード１が設定される。
【００６８】
また、スタート・ストップボタン８が押されて再生処理が開始されたと判定された場合、ステップＳ４３に進み、光磁気ディスク１０に記録されている全ての映像（例えば、図５に示した例の場合、サムネイルＡ１乃至Ａ８、それぞれに対応する一連のシーン）が再生される再生モード２が設定される。
【００６９】
また、サムネイルＡがタッチされた後にスタート・ストップボタン８が押されて再生処理が開始されたと判定された場合、ステップＳ４４に進み、タッチされたサムネイルＡ以降の全ての映像、例えば、図５に示した例においてサムネイルＡ４がタッチされた場合、サムネイルＡ４乃至Ａ８、それぞれに対応する一連のシーンが再生される再生モード３が設定される。
【００７０】
ステップＳ４５において、画像の再生が開始される。すなわち、制御部３４の制御によりデータアクセス部２７は、ステップＳ４２乃至Ｓ４４のいずれかで指定された画像情報を光磁気ディスク１０から読み出し、バッファメモリ２６に出力する。データ圧縮伸長部２５は、バッファメモリ２６から画像情報を読み出して伸張し、フレームメモリ２４に供給する。表示画像作成部３３は、フレームメモリ２４から画像情報を読み出してLCD５の表示情報に変換し、LCD５に供給する。LCD５は供給された表示情報を、図１３に示すように画面中央に表示するとともに、早送りを指示する際に操作される早送りボタンＥ、および早戻しを指示する際に操作される早戻しボタンＦを画面右側に表示する。
【００７１】
ステップＳ４６において、制御部３４は、スタート・ストップボタン８が押されたか否かを判定する。スタート・ストップボタン８が押されていないと判定された場合、ステップＳ４７に進む。
【００７２】
ステップＳ４７において、制御部３４は、LCD５に表示されている早送りボタンＥ、または早戻しボタンＦが操作（タッチ）されたか否かを判定する。早送りボタンＥ、または早戻しボタンＦがタッチされていないと判定された場合、ステップＳ４８に進む。
【００７３】
ステップＳ４８において、制御部３４は、パワー・リセットボタン１２が押されたか否かを判定する。パワー・リセットボタン１２が押されていないと判定された場合、ステップＳ４９に進む。
【００７４】
ステップＳ４９において、制御部３４は、再生中の映像が再生モードによって定められている再生終了位置であるか否かを判定する。再生終了位置であると判定された場合、ステップＳ５０に進む。
【００７５】
ステップＳ５０において、再生されたファイルの管理を行う再生終了処理（詳細は後述する）が実行される。
【００７６】
ステップＳ４８において、パワー・リセットボタン１２が押されたと判定された場合、ステップＳ４９をスキップする。
【００７７】
ステップＳ４９において、再生終了位置ではないと判定された場合、ステップＳ４６に戻る。
【００７８】
ステップＳ４７において、早送りボタンＥ、または早戻しボタンＦがタッチされたと判定された場合、ステップＳ５１に進む。
【００７９】
ステップＳ５１において、制御部３４は、ユーザの操作ミスを防止するために、早送りボタンＥまたは早戻しボタンＦがタッチされた後、所定の時間（例えば、0.2秒間）、処理を待機する。
【００８０】
ステップＳ５２において、制御部３４は、早送りボタンＥまたは早戻しボタンＦがタッチされた状態であるか否かを判定する。
【００８１】
ステップＳ５３において、制御部３４の制御により、LCD５には早送り、または早戻し映像が表示される。
【００８２】
ステップＳ５４において、制御部３４は、早送りボタンＥまたは早戻しボタンＦがタッチされたか否かを判定する。早送りボタンＥまたは早戻しボタンＦがタッチされたと判定された場合、ステップＳ５５に進む。また、早送りボタンＥまたは早戻しボタンＦがタッチされていないと判定された場合、ボタンＥまたはボタンＦがタッチされるまで待機される（早送り、または早戻しが継続される）。
【００８３】
ステップＳ５５において、制御部３４は、早送り、または早戻しを終了させ、通常の再生を開始する。
【００８４】
ステップＳ４６において、スタート・ストップボタン８が押されたと判定された場合、ステップＳ５６に進む。
【００８５】
ステップＳ５６において、制御部３４の制御によりLCD５の中央には、図１４に示すように、静止画像が表示されるとともに、コマ送りを指示する際に操作されるコマ送りボタンＧ、およびコマ戻しを指示する際に操作されるコマ戻しボタンＨを画面右側に表示する。
【００８６】
ステップＳ５７において、制御部３４は、LCD５に表示されているコマ送りボタンＧ、またはコマ戻しボタンＨがタッチされたか否かを判定する。コマ送りボタンＧ、またはコマ戻しボタンＨがタッチされたと判定された場合、ステップＳ５８に進む。
【００８７】
ステップＳ５８において、制御部３４の制御により、LCD５にはコマ送り、またはコマ戻し画像が表示される。
【００８８】
ステップＳ５９において、制御部３４は、スタート・ストップボタン８が押されたか否かを判定する。スタート・ストップボタン８が押されたと判定された場合、ステップＳ６０に進む。
【００８９】
ステップＳ６０において、制御部３４の制御により、LCD５には通常に再生された動画像が表示される。
【００９０】
ステップＳ５７において、コマ送りボタンＧ、またはコマ戻しボタンＨがタッチされていないと判定された場合、ステップＳ５８をスキップする。
【００９１】
ステップＳ５９において、スタート・ストップボタン８が押されていないと判定された場合、ステップＳ５７に戻る。
【００９２】
ステップＳ５０の再生終了処理について、図１５のフローチャートを参照して説明する。この再生終了処理において、ステップＳ５０以前で再生された画像情報が格納されているファイルが、ユーザの指示により、プロテクト、消去、保留、または未処分のうちのいずれかに分類される。プロテクトは、読み出しが可能、消去が不可能なファイルであり、保存されるファイルは、これに分類される。消去は、上書きが可能なファイルであり、消去されるファイルは、これに分類される。保留は、プロテクト、または消去に分類することを保留されたファイルが分類される。未処分は、プロテクト、消去、または保留のいずれにも分類されていないファイルであり、初めて再生終了処理を実行されるファイルは、これに分類されている。
【００９３】
ステップＳ６１において、制御部３４は、ステップＳ５０以前で再生された画像のファイルに未処分、または保留のファイルが存在するか否かを判定する。未処分、または保留のファイルが存在すると判定された場合、ステップＳ６２に進む。
【００９４】
ステップＳ６２において、制御部３４は、ステップＳ５０以前で再生された画像のファイルの中に処分完了ファイル（プロテクト、消去、または保留ファイル）が混在するか否かを判定する。処分完了ファイルが混在すると判定された場合、ステップＳ６３に進む。
【００９５】
ステップＳ６３において、制御部３４は、LCD５を制御して、図１６に示すように、一括プロテクトボタンＩ、一括消去ボタンＪ、確認ボタンＫ、および保留ボタンＬを表示させる。一括プロテクトボタンＩは、再生されたファイルのうちの保留ファイルおよび未処分ファイルを一括してプロテクトに分類する際に操作される。一括消去ボタンＪは、再生されたファイルのうちの保留ファイルおよび未処分ファイルを一括して消去に分類する際に操作される。確認ボタンＫは、ステップＳ５０以前で再生された画像を、再度再生させる際に操作される。保留ボタンＬは、再生された未処分ファイルを保留に分類する際に操作される。
【００９６】
ステップＳ６４において、制御部３４は、保留ボタンＬが押されたか否かを判定する。保留ボタンＬが押されていないと判定された場合、ステップＳ６５に進む。
【００９７】
ステップＳ６５において、制御部３４は、確認ボタンＫが押されたか否かを判定する。確認ボタンＫが押されていないと判定された場合、ステップＳ６６に進む。
【００９８】
ステップＳ６６において、制御部３４は、保留ファイルおよび未処分ファイルの全てを処理対象に設定する。
【００９９】
ステップＳ６７において、制御部３４は、プロテクト、または消去のいずれのボタンが押されたかを判定する。一括プロテクトボタンＩ、またはプロテクトボタンＭ（後述）が押されたと判定された場合、ステップＳ６８に進む。
【０１００】
ステップＳ６８において、制御部３４は、処分対象のファイルをプロテクトに分類する（ファイルの属性をRead Onlyにする）。
【０１０１】
ステップＳ６９において、制御部３４は、ステップＳ５０以前に再生されたが像が格納されているファイルに未処分ファイルが存在するか否かを判定する。未処分ファイルが存在しないと判定された場合、LCD５に初期画面（図５）を表示させた後、リターンする。
【０１０２】
ステップＳ６５において、確認ボタンＫが押されたと判定された場合、ステップＳ７０に進む。
【０１０３】
ステップＳ７０において、制御部３４の制御により、ステップＳ５０以前で再生された画像のうちの未処分ファイルが処理対象として再生され、LCD５に表示される。
【０１０４】
ステップＳ７１において、制御部３４の制御により、図１７に示すように、LCD５は、プロテクトボタンＭ、および消去ボタンＮを表示する。プロテクトボタンＭは、処理対象のファイルをプロテクトに分類する際に操作される。消去ボタンＮは、処理対象のファイルを消去に分類する際に操作される。
【０１０５】
ステップＳ６７において、一括消去ボタンＪ、または消去ボタンＮが押されたと判定された場合、ステップＳ７２に進む。
【０１０６】
ステップＳ７２において、制御部３４は、ステップＳ７０で再生された画像がファイルの途中であるか否かを判定する。ステップＳ７０で再生された画像がファイルの途中であると判定された場合、ステップＳ７３に進む。
【０１０７】
ステップＳ７３において、途中処理（後述）が実行される。
【０１０８】
ステップＳ７４において、処分対象のファイルを消去に分類する（消去ディレクトリに移動する）。
【０１０９】
ステップＳ６１において、処分ファイルまたは保留ファイルが存在しないと判定された場合、リターンする。
【０１１０】
ステップＳ６２において、処分完了ファイルが混在しないと判定された場合、ステップＳ７１に進む。
【０１１１】
ステップＳ６４において、保留ボタンＬが押されたと判定された場合、リターンする。
【０１１２】
ステップＳ７２において、ステップＳ７０で再生された画像がファイルの途中ではないと判定された場合、ステップＳ７３をスキップする。
【０１１３】
図１８は、ビデオカメラの消去編集処理を説明するフローチャートである。ステップＳ８１において、制御部３４は、図１９に示すように、LCD５の中央にサムネイルＡ１乃至Ａ９を表示させるとともに、画面右側に「消去編集中」と表示させる。ここで、ユーザは上述した再生処理を開始させる操作（図１２のステップＳ４１乃至Ｓ４４を参照）と同様の操作を実行する。制御部３４は、ユーザの操作に対応して、光磁気ディスク１０から画像情報を読み出させて再生させ、LCD５に画像を表示させる。このとき、制御部３４は、LCD５を制御して、図２３に示すように、通常再生時の表示（図１３）と異なり、光磁気ディスク１０の残容量と消去対象部分の容量を表示する、このことにより、ユーザは消去対象部分を消去すれば、どの程度の容量が確保される（増加される）かを判断することができる。また、ユーザは消去編集中であることも判断できる。消去対象部分については後述する。
【０１１４】
ステップＳ８２において、制御部３４は、スタート・ストップボタン８が押されたか否かを判定するとともに、再生されている画像が再生終了位置であるか否かを判定する。スタート・ストップボタン８が押されていない、および再生されている画像が再生終了位置ではないと判定された場合、ステップＳ８３に進む。
【０１１５】
ステップＳ８３において、制御部３４は、動画像が表示されているLCD５に重ねて配置されているタッチタブレット９の動画像の表示領域がタッチされたか否かを判定する。タッチタブレット９がタッチされた（消去部分の始点、または終点が指示された）と判定された場合、ステップＳ８４に進む。
【０１１６】
ステップＳ８４において、制御部３４は、LCD５により再生中の画像がカラー再生モードであるか否かを判定する。ここで、カラー再生モードとは、消去指定されていない画像を再生するモードであり、再生画像はLCD５にカラーで表示される。LCD５がカラー再生モードである（表示されている画像は、消去対象部ではない）と判定された場合、ステップＳ８５に進む。
【０１１７】
ステップＳ８５において、制御部３４は、カラー再生モードから白黒再生モードに変更し、LCD５による再生画像をカラー表示からモノトーン表示に切り換える。ここで、白黒再生モードとは、消去指定された画像を再生するモードであり、再生画像は、LCD５にモノトーンで表示される。
【０１１８】
ステップＳ８６において、制御部３４は、ステップＳ８３でタッチタブレット９がタッチされたタイミングを消去部分の開始点として、シナリオファイル（消去を実行するときに参照する作業記録用ファイル）に記録する。
【０１１９】
ステップＳ８４において、白黒再生モードである（表示されている画像は、消去対象部である）と判定された場合、ステップＳ８７に進む。
【０１２０】
ステップＳ８７において、制御部３４は、LCD５をモノトーン表示からカラー表示に変更する。
【０１２１】
ステップＳ８８において、制御部３４は、ステップＳ８３でタッチタブレット９がタッチされたタイミングの１秒前を消去部分の終点として、シナリオファイル（消去を実行するときに参照する作業記録用ファイル）に記録する。タッチタブレット９がタッチされたタイミングの１秒前を消去部分の終点とすることにより、ユーザの操作の遅れに起因して、必要以上に消去部分が長くなることを防ぐことができる。さらに、制御部３４は、消去対象部分の容量を検出して、図２３に示した消去対象部分の容量の表示を更新する。
【０１２２】
ステップＳ８３において、タッチタブレット９がタッチされていないと判定された場合、ステップＳ８２に戻る。
【０１２３】
ステップＳ８２において、スタート・ストップボタン８が押された、または再生されている画像が再生終了位置であると判定された場合、ステップＳ８９に進む。
【０１２４】
ステップＳ８９において、制御部３４は、図２０に示すように、消去対象部分の消去を指示する際に操作される確定ボタンＯ、消去対象部分をスキップして再生させる際に操作されるテストモード１ボタンＰ、消去対象部分をモノトーン表示させ非消去対象部分をカラー表示させる際に操作されるテストモード２ボタンＱ、および初期画面（図５）に戻る際に操作される初期画面ボタンＲをLCD５に表示させる。
【０１２５】
ステップＳ９０において、制御部３４は、確定ボタンＯがタッチされたか否かを判定する。確定ボタンＯがタッチされたと判定された場合、ステップＳ９１に進む。
【０１２６】
ステップＳ９１において、制御部３４は、消去対象部分の始点、または終点がファイルの途中に存在するか否かを判定する。消去対象部分の始点、または終点がファイルの途中に存在すると判定された場合、ステップＳ９２に進む。
【０１２７】
ステップＳ９２において、消去対象部分を含むファイルの途中処理が実行される。
【０１２８】
ここで、途中処理について説明する。上述したように、本実施の形態において画像情報は、MPEG方式を用いて圧縮されてファイルに格納されている。MPEG圧縮においては、基準フレームの画像情報を基準とし、基準フレームに続く所定の枚数のフレームの画像情報として、基準フレームの画像情報との差分情報を記録することにより、情報量を圧縮させている。したがって、任意の位置（フレーム）を境として、例えば、ファイルの前半を消去するためにファイルを２つに分割する場合、残される（保存される）後半の先頭付近のフレームがファイルの前半に存在するフレームを基準フレームとしていたならば、基準フレームの情報をファイルの後半に記録する必要がある。この処理が途中処理である。途中処理の詳細について、図８(B)に示した例を用い、図２１のフローチャートを参照して説明する。
【０１２９】
ステップＳ１０１において、制御部３４は、シナリオファイルを参照して消去対象部分を有するファイルを含む一連のシーンを抽出する（処理対象とする）。例えば、図８(B)に示す例の場合、ファイルFL７乃至FL９に渡って消去対象部分が存在するので、シーン３が抽出される。
【０１３０】
ステップＳ１０２において、制御部３４は、消去対象部分が存在するファイルを抽出する。この例の場合、ファイルFL７が抽出される。
【０１３１】
ステップＳ１０３において、制御部３４は、ステップＳ１０２で抽出したファイルの非消去部分を抽出する。この例の場合、ファイルFL７aが抽出される。
【０１３２】
ステップＳ１０４において、制御部３４は、ステップＳ１０３で抽出した非消去部分がファイルの先頭であるか否かを判定する。この例の場合、ファイルFL７aはファイルの先頭であるので、ステップＳ１０５に進む。
【０１３３】
ステップＳ１０５において、制御部３４は、ステップＳ１０３で抽出したファイルFL７aをバッファメモリ２６にコピーする。
【０１３４】
ステップＳ１０６において、制御部３４は、バッファメモリ２６にコピーしたファイルFL７aの終端処理（EOFの書き込み）を実行する。
【０１３５】
ステップＳ１０７において、制御部３４は、データアクセス部２７を制御して、図８(C)に示すように、終端処理が施されたファイルFL７aを光磁気ディスク１０に記録させる。
【０１３６】
ステップＳ１０８において、制御部３４は、データアクセス部２７を制御して、ファイルFL７aのヘッダ部の「次のファイル」にファイルFL７bを記入させる。
【０１３７】
ステップＳ１０９において、制御部３４は、ステップＳ１０２で抽出したファイルに、非消去部が残っているか否かを判定する。ファイルFL７には、非消去部が残っていないので、ステップＳ１１０に進む。
【０１３８】
ステップＳ１１０において、制御部３４は、ステップＳ１０１で抽出した一連のファイルに、非消去部の始点、または終点が存在するファイルが残っているか否かを判定する。この例の場合、ファイルFL９が残っているので、ステップＳ１０２に戻る。
【０１３９】
ステップＳ１０２において、ファイルFL９が抽出される。
【０１４０】
ステップＳ１０３において、ファイルFL９bが抽出される。
【０１４１】
ステップＳ１０４において、ファイルFL９bはファイルの先頭ではないと判定され、ステップＳ１１２に進む。
【０１４２】
ステップＳ１１２において、制御部３４は、ステップＳ１０２で抽出したファイルFL９をバッファメモリ２６にコピーさせる。
【０１４３】
ステップＳ１１３において、制御部３４は、データ圧縮伸長部２５を制御し、ファイルFL９を伸張させる。
【０１４４】
ステップＳ１１４において、制御部３４は、データ圧縮伸長部２５を制御し、ファイルFL９から非消去部であるファイルFL９bを抽出してMPEG圧縮させる。
【０１４５】
ステップＳ１１５において、制御部３４は、データアクセス部２７を制御してMPEG圧縮されたファイルFL９bを光磁気ディスク１０に記録させる。
【０１４６】
ステップＳ１０８において、制御部３４は、データアクセス部２７を制御して、ファイルFL９bのヘッダ部の「前のファイル」にファイルFL９aを記入させ、「次のファイル」にファイルFL１０を記入させる。
【０１４７】
ステップＳ１０９において、ファイルFL９には、非消去部が残っていないので、ステップＳ１１０に進む。
【０１４８】
ステップＳ１１０において、ステップＳ１０１で抽出した一連のファイルに、非消去部の始点、または終点が存在するファイルが残っていないので、ステップＳ１１１に進む。
【０１４９】
ステップＳ１１１において、消去対象部分があるファイルを含む一連のシーンが存在するか否かが判定される。この例の場合、そのようなファイルは存在しないので、リターンする。
【０１５０】
図１８に戻る。ステップＳ９３において、制御部３４は、データアクセス部２７を制御して、消去対象部分（図８(B)の例の場合、ファイルFL７b，FL８、およびFL９a）を消去させる（消去ディレクトリに格納させる）。
【０１５１】
ステップＳ９１において、消去対象部分の始点、または終点がファイルの途中に存在しないと判定された場合、ステップＳ９２をスキップする。
【０１５２】
ステップＳ９０において、確定ボタンＯがタッチされていないと判定された場合、ステップＳ９４に進む。
【０１５３】
ステップＳ９４において、制御部３４は、テストモード１ボタンＰがタッチされたか否かを判定する。テストモード１ボタンＰがタッチされたと判定された場合、ステップＳ９５に進む。
【０１５４】
ステップＳ９５において、制御部３４は、ステップＳ８１で指示されたシーンのうちの消去対象部分をスキップして再生させ、LCD５に表示させる。
【０１５５】
ステップＳ９４において、テストモード１ボタンＰがタッチされていないと判定された場合、ステップＳ９６に進む。
【０１５６】
ステップＳ９６において、制御部３４は、テストモード２ボタンＱがタッチされたか否かを判定する。テストモード２ボタンＱがタッチされたと判定された場合、ステップＳ９７に進む。
【０１５７】
ステップＳ９７において、制御部３４は、ステップＳ８１で指示されたシーンのうちの消去対象部分をモノトーンで再生させ、非消去部分をカラーで再生させて、LCD５に表示させる。
【０１５８】
ステップＳ９６において、テストモード２ボタンＱがタッチされていないと判定された場合、ステップＳ９８に進む。
【０１５９】
ステップＳ９８において、制御部３４は、初期画面ボタンＲがタッチされたか否かを判定する。初期画面ボタンＲがタッチされていないと判定された場合、ステップＳ９０に戻り、初期画面ボタンＲがタッチされたと判定された場合、LCD５には初期画面（図５）が表示される。
【０１６０】
上述したように、消去編集処理により、図８(D)に示すようなファイルFLの前半が消去対象部分である場合（aは消去対象部分の終点）、図８(E)に示すようなファイルFLの後半が消去対象部分である場合（bは消去対象部分の始点）、並びに図８(F)および図８(G)に示すような図８(D)と図８(E)を任意に組み合わせた場合等、任意の部分を消去することが可能である。
【０１６１】
図４に戻る。ステップＳ７において、制御部３４は、OFFボタンＤがタッチされたか否かを判定する。OFFボタンＤがタッチされたと判定された場合、ステップＳ８に進む。
【０１６２】
ステップＳ８において、制御部３４は、ビデオカメラの駆動電源をオフとする。ただし、パワー・リセットボタン１２への操作を検知するための待機電源は、オンの状態である。
【０１６３】
ステップＳ７において、OFFボタンＤがタッチされていないと判定された場合、ステップＳ９に進む。
【０１６４】
ステップＳ９において、制御部３４は、ステップＳ４で初期画面が表示されてから所定の時間が経過したか否かを判定する。所定の時間が経過したと判定された場合、ステップＳ８に進み、所定の時間が経過していないと判定された場合、ステップＳ５に戻る。
【０１６５】
図２２は、図１０の録画可能時間表時処理において、ファジーな残容量時間関数に求められる残容量時間の例を示したものである。図１０のステップＳ３４において表示される残容量時間は、以下で説明する実表示最小、実表示最大、または実表示平均のいずれでもかまわない。
【０１６６】
図２２の経過時間には、録画が開始されてからの経過時間が表示されている。想定Min残時間には、単位時間当たり記憶容量消費量が最大値であると想定した場合における録画可能残り時間が表示されている。想定Max残時間には、単位時間当たり記憶容量消費量が最小値であると想定した場合における録画可能残り時間が表示されている。実残容量には、経過時間０分を基準として、実際に計測した残容量が表示されている。実表示最小には、実消費残容量に対応した単位時間当たり記憶容量消費量が最大値であると想定した場合における録画可能残り時間が表示されている。なお、例えば、8.6→９は、計算値が8.6であり、四捨五入された値である９が表示されることを示している。実表示最大には、実消費残容量に対応した単位時間当たり記憶容量消費量が最小値であると想定した場合における録画可能残り時間が表示されている。実表示平均は、実表示最小と実表示最大の平均値が表示されている。
【０１６７】
なお、上述した処理を制御部３４に実行させるコンピュータプログラムは、記憶部３７に記憶されている。また、このコンピュータプログラムが予め光磁気ディスク１０に記憶された状態でユーザに供給されるようにしてもよい。
【０１６８】
さらに、本実施の形態においては、圧縮した画像情報を記録する記録媒体として光磁気ディスク１０を用いたが、ランダムアクセス可能な他の情報記録媒体（例えば、DVD等）を用いてもよい。
【０１６９】
【発明の効果】
以上のように、本発明によれば、大容量メモリを必要とせずに動画像編集を行うことが可能となる。
【図面の簡単な説明】
【図１】  本発明を適用したビデオカメラの構成を示す斜視図である。
【図２】  図１のビデオカメラの背面から見た場合の構成を示す斜視図である。
【図３】  図１のビデオカメラの内部の電気的構成を示すブロック図である。
【図４】  図１のビデオカメラの起動処理を説明するフローチャートである。
【図５】  図２のLCD５に表示される画像を説明する図である。
【図６】  図１のビデオカメラの録画処理を説明するフローチャートである。
【図７】  図２のLCD５に表示される画像を説明する図である。
【図８】  情報が記録されるファイルを説明する図である。
【図９】  情報が記録されるファイルを説明する図である。
【図１０】  図１のビデオカメラの録画可能時間表示処理を説明するフローチャートである。
【図１１】  図２のLCD５に表示される画像を説明する図である。
【図１２】  図１のビデオカメラの再生処理を説明するフローチャートである。
【図１３】  図２のLCD５に表示される画像を説明する図である。
【図１４】  図２のLCD５に表示される画像を説明する図である。
【図１５】  図１のビデオカメラの再生終了処理を説明するフローチャートである。
【図１６】  図２のLCD５に表示される画像を説明する図である。
【図１７】  図２のLCD５に表示される画像を説明する図である。
【図１８】  図１のビデオカメラの消去編集処理を説明するフローチャートである。
【図１９】  図２のLCD５に表示される画像を説明する図である。
【図２０】  図２のLCD５に表示される画像を説明する図である。
【図２１】  図１のビデオカメラの途中処理を説明するフローチャートである。
【図２２】  図１０のステップＳ３４で表示される残容量時間の例を示した図である。
【図２３】  図２のLCD５に表示される画像を説明する図である。
【図１】
0004514166.tif 000002
【図２】
0004514166.tif 000003
【図３】
0004514166.tif 000004
【図４】
0004514166.tif 000005
【図５】
0004514166.tif 000006
【図６】
0004514166.tif 000007
【図７】
0004514166.tif 000008
【図８】
0004514166.tif 000009
【図９】
0004514166.tif 000010
【図１０】
0004514166.tif 000011
【図１１】
0004514166.tif 000012
【図１２】
0004514166.tif 000013
【図１３】
0004514166.tif 000014
【図１４】
0004514166.tif 000015
【図１５】
0004514166.tif 000016
【図１６】
0004514166.tif 000017
【図１７】
0004514166.tif 000018
【図１８】
0004514166.tif 000019
【図１９】
0004514166.tif 000020
【図２０】
0004514166.tif 000021
【図２１】
0004514166.tif 000022
【図２２】
0004514166.tif 000023
【図２３】
0004514166.tif 000024